(57)【要約】      （修正有）【課題】スマートフォンの使用中であっても画面および角を保護するスマートフォンの保護部材を提供する。【解決手段】スマートフォン２の長手方向の両端部を覆うようにして装着される保護部材２０，２１において、スマートフォン２の画面２ａを有する側を表面とし、表面の反対側を裏面とし、表面と裏面とを繋ぐ面を側面とするとき、スマートフォン２の側面を短手方向から把持する装着部２０ａ，２１ａと、画面２ａから所定の高さに画面２ａとほぼ平行になる面を有する画面保護部２０ｂ，２１ｂと、スマートフォン２の角を保護する角保護部２０ｃ，２１ｃと、を有し、画面保護部２０ｂ，２１ｂは、画面２ａとほぼ平行になる面上に、この面上から画面２ａとは反対の方向に突出する突出部２０ｄ，２１ｄを有するものである。【選択図】図４
0003209946.tif 000002
【実用新案登録請求の範囲】
【請求項１】
スマートフォンの長手方向の両端部を覆うようにして装着される保護部材において、
前記スマートフォンの画面を有する側を表面とし、前記表面の反対側を裏面とし、前記表面と前記裏面とを繋ぐ面を側面とするとき、
前記スマートフォンの側面を短手方向から把持する装着部と、
前記画面から所定の高さに前記画面とほぼ平行になる面を有する画面保護部と、
前記スマートフォンの角を保護する角保護部と、
を有し、
前記画面保護部は、前記画面とほぼ平行になる面上に、この面上から前記画面とは反対の方向に突出する突出部を有する、
ことを特徴とする保護部材。
【請求項２】
請求項１記載の保護部材において、
前記画面保護部および前記突出部の少なくとも一部は、塗装可能な表面処理部を有する、
ことを特徴とする保護部材。
【請求項３】
請求項１または２記載の保護部材において、
前記装着部と前記画面保護部との間の距離は、前記角保護部から遠ざかるに連れて漸減するように形成される、
ことを特徴とする保護部材。
【請求項４】
請求項１または２記載の保護部材において、
対向する双方の前記装着部の間の距離は、前記角保護部から遠ざかるに連れて漸減するように形成される、
ことを特徴とする保護部材。
【考案の詳細な説明】
【技術分野】
【０００１】
本考案は、スマートフォンの保護部材に関する。
【背景技術】
【０００２】
スマートフォンは、大きな画面を有し、その画面に表示されたアイコンなどをユーザが指で触れるなどして操作が行われる。このようなスマートフォンは、筐体の汚損や破損を防ぐため、または、ユーザの好みのデザインとするなどの目的でケースに収納されて使用されることが多い。
【０００３】
スマートフォンが収納されるケースの一例としては、たとえば、特許文献１のように、スマートフォンの少なくとも長手方向に沿う両側面を把持する把持部を有するものがある。特許文献１の例では、同文献図２の支持基板や同文献図８の携帯電話支持台などが把持部に相当する。
【先行技術文献】
【特許文献】
【０００４】
【特許文献１】特許第５７２８０５３号
【考案の概要】
【考案が解決しようとする課題】
【０００５】
上述したようなスマートフォンが収納されるケースは、筐体の汚損や破損を防ぐ効果を有する。一方、スマートフォンの画面については、ユーザが指で操作を行う関係で、画面をケースで覆うことはできない。このため、スマートフォンを誤って落下させたり、物にぶつけたりして画面を破損する事故が多発している。
【０００６】
このような画面の破損事故を防ぐために、スマートフォンの不使用時に、画面を覆うカバー（特許文献１の図１、図２参照）を有するケースが市販されているが、このようなケースもスマートフォンの使用中には画面を保護することはできない。たとえば、ユーザがスマートフォンを使用中に、スマートフォンを誤って落下させたり、物にぶつけたりすれば、スマートフォンの不使用時に画面を覆うカバーは役に立たない。
【０００７】
また、スマートフォンは、角から落下させると角の小さい面積に大きな力が加わるため破損し易い。これは、ケースに入れられたスマートフォンの角についても同様である。よって、スマートフォンの角を保護することも有用である。
【０００８】
本考案は、このような背景の下に行われたものであって、スマートフォンの使用中であっても画面および角を保護することができるスマートフォンの保護部材を提供することを目的とする。
【課題を解決するための手段】
【０００９】
本考案は、スマートフォンの長手方向の両端部を覆うようにして装着される保護部材において、スマートフォンの画面を有する側を表面とし、表面の反対側を裏面とし、表面と裏面とを繋ぐ面を側面とするとき、スマートフォンの側面を短手方向から把持する装着部と、画面から所定の高さに画面とほぼ平行になる面を有する画面保護部と、スマートフォンの角を保護する角保護部と、を有し、画面保護部は、画面とほぼ平行になる面上に、この面上から画面とは反対の方向に突出する突出部を有するものである。
【００１０】
上述の保護部材において、画面保護部および突出部の少なくとも一部は、塗装可能な表面処理部を有することができる。
【００１１】
上述の保護部材において、装着部と画面保護部との間の距離は、角保護部から遠ざかるに連れて漸減するように形成されることができる。
【００１２】
上述の保護部材において、対向する双方の装着部の間の距離は、角保護部から遠ざかるに連れて漸減するように形成されることができる。
【考案の効果】
【００１３】
本考案によれば、スマートフォンの使用中であっても画面および角を保護することができる。
【図面の簡単な説明】
【００１４】
【図１】ケースにスマートフォンを収納する方法を説明するための図である。
【図２】ケースに収納されたスマートフォンを示す図である。
【図３】カバーによって、スマートフォンの不使用時にスマートフォンの画面が保護されている状態を示す図である。
【図４】スマートフォンに対し、保護部材を装着する方法を説明するための図である。
【図５】スマートフォンに対し、図４で説明した方法とは異なる方法で、保護部材を装着する方法を説明するための図である。
【図６】保護部材が装着されたスマートフォンをケースに収納する方法を説明するための図である。
【図７】保護部材が装着されたスマートフォンがケースに収納された状態を示す図である。
【図８】保護部材が装着されたスマートフォンがケースに収納された状態をスマートフォンの長手方向から見た図である。
【図９】一方の保護部材に設けられた突出部の例を示す図である。
【図１０】他方の保護部材に設けられた突出部の例を示す図である。
【図１１】ケースに収納されて保護部材が装着されたスマートフォンをスマートフォンの短手方向から見た図である。
【図１２】図１１のスマートフォンの画面が保護部材によって保護される状況を説明するための図である。
【図１３】突出部に形成される表面処理部を示す図である。
【図１４】保護部材に形成される表面処理部を示す図である。
【図１５】図９とは異なる一方の保護部材に設けられた突出部の例を示す図である。
【図１６】図１０とは異なる他方の保護部材に設けられた突出部の例を示す図である。
【図１７】図９、図１５とは異なる一方の保護部材に設けられた突出部の例を示す図である。
【図１８】図１０、図１６とは異なる他方の保護部材に設けられた突出部の例を示す図である。
【図１９】図９、図１５、図１７とは異なる一方の保護部材に設けられた突出部の例を示す図である。
【図２０】図１０、図１６、図１８とは異なる他方の保護部材に設けられた突出部の例を示す図である。
【図２１】その他の実施の形態に係る保護部材を示す図である。
【図２２】図２１の保護部材を側面から見た状態を示す図である。
【図２３】図２１の保護部材を反対側から見た状態を示す図である。
【図２４】図２１とは異なるその他の実施の形態に係る保護部材を示す図である。
【図２５】図２４の保護部材を側面から見た状態を示す図である。
【図２６】図２４の保護部材を反対側から見た状態を示す図である。
【図２７】図２１、図２４とは異なるその他の実施の形態に係る保護部材を示す図である。
【図２８】図２１、図２４、図２７とは異なるその他の実施の形態に係る保護部材を示す図である。
【考案を実施するための形態】
【００１５】
本考案の保護部材を説明するのに先立って、本考案の保護部材を利用する背景を理解するために、スマートフォンを収納するケースと、ケースにスマートフォンを収容する方法と、ケースに収納された状態のスマートフォンと、について説明する。以下の説明では、スマートフォンの画面を有する側を表面とし、表面の反対側を裏面とし、表面と裏面とを繋ぐ面を側面として説明する。
【００１６】
ケース１は、図１に示すように、スマートフォン２の少なくとも長手方向に沿う両側面を把持する把持部１０〜１３を有する。把持部１０〜１３は、基板１４の外周に形成されている。基板１４には、スマートフォン２のカメラのレンズの視界を妨げないための孔１５が開けられている。基板１４は、カバー１６に接着されている。スマートフォン２を基板１４に対してほぼ平行な状態で押圧すると、図２に示すように、把持部１０〜１３がスマートフォン２の長手方向の側面を把持し、スマートフォン２がケース１に収納される。
【００１７】
カバー１６は、図３に示すように、基板１４側へ折り曲げることができる。これにより、スマートフォン２の不使用時には、スマートフォン２の画面２ａは、カバー１６によって保護される。
【００１８】
（本考案の実施の形態に係る保護部材２０，２１について）
本考案の実施の形態に係る保護部材２０，２１は、図４に示すように、スマートフォン２の長手方向の両端部を覆うようにして装着される。保護部材２０，２１は、スマートフォン２の側面を短手方向から把持する装着部２０ａ，２１ａと、スマートフォン２の画面２ａから所定の高さに画面２ａと平行になる面を有する画面保護部２０ｂ，２１ｂと、スマートフォン２の角を保護する角保護部２０ｃ、２１ｃと、を有し、画面保護部２０ｂ，２１ｂは、画面２ａとほぼ平行になる面上に、この面上から画面２ａとは反対の方向に突出する突出部２０ｄ，２１ｄを有する。
【００１９】
保護部材２０，２１のスマートフォン２への装着方法としては、図４の例では、スマートフォン２の長手方向に沿って、保護部材２０，２１の装着部２０ａ，２１ａをスマートフォン２の側面に滑り込ませるようにして嵌合させる。また、図５の例では、スマートフォン２の画面２ａに平行な位置から保護部材２０，２１の装着部２０ａ，２１ａをスマートフォン２の側面に押圧して嵌め込むようにしている。なお、保護部材２０，２１がスマートフォン２のマイク、スピーカ、レンズ、押しボタンスイッチ、および充電プラグの差し込み孔などを覆う場合には、これらに対応する部分に対し、予め孔が開けられているものとする。このようにして、保護部材２０，２１は、スマートフォン２に装着される。
【００２０】
保護部材２０，２１は、ケース１に収納されていない状態のスマートフォン２に装着して使用することもできるが、多くのユーザがスマートフォン２をケース１に収納して使用している現状を踏まえ、ケース１との併用が可能であるように考慮している。
【００２１】
保護部材２０，２１が装着されたスマートフォン２は、図６に示すように、ケース１に収納することができる。これにより、図７に示すように、保護部材２０，２１が装着されたスマートフォン２がケース１に収納される。図８は、ケース１に収納されたスマートフォン２を、スマートフォン２の長手方向から見た状態を示している。
【００２２】
このように、保護部材２０，２１は、ケース１に収納されていない状態のスマートフォン２に装着して使用する他に、保護部材２０，２１が装着された状態のスマートフォン２をケース１に収納して使用することもできる。保護部材２０，２１が装着された状態のスマートフォン２をケース１に収納して使用する際は、ケース１の把持部１０〜１３とスマートフォン２の側面との間に、保護部材２０，２１が挿入される。したがって、保護部材２０，２１の厚みは、ケース１の把持部１０〜１３が把持することができる寸法の範囲内となるように制限される。ケース１の把持部１０〜１３が把持することができる寸法の範囲は、把持部１０〜１３の弾力性がどれくらいであるかに因るが、本来、把持部１０〜１３は、把持部１０〜１３とスマートフォン２の側面との間に保護部材２０，２１が挿入されることを想定して作られていない。したがって、保護部材２０，２１の厚みは薄いことが好ましい。このようなことから、保護部材２０，２１の厚みは、一例として、０．２ミリメートルから０．５ミリメートルとすることが適当と考える。本実施の形態では、保護部材２０，２１の厚みを０．２ミリメートルから０．５ミリメートルとすることができる材質として、アルミニウム製の板を採用した。この他にも保護部材２０，２１の厚みを０．２ミリメートルから０．５ミリメートルとすることができるのであれば、保護部材２０，２１の材質として、合成樹脂やアルミニウム以外の金属を採用してもよい。本実施の形態では、一例として、保護部材２０，２１の厚みを０．３ミリメートルとした。
【００２３】
以上説明したように、保護部材２０，２１の厚みは、０．２ミリメートル〜０．５ミリメートルに制限されている。このため、保護部材２０，２１の画面保護部２０ｂとなる面は、素材のままであると、スマートフォン２の画面２ａから僅か０．２ミリメートルから０．５ミリメートルの距離にあり、画面２ａを保護するためには距離が不足気味となる。そこで、図９、図１０に示すように、画面保護部２０ｂ，２１ｂは、画面２ａとほぼ平行になる面上に、この面上から画面２ａとは反対の方向に突出する突出部２０ｄ，２１ｄを有する。これにより、図１１、図１２に示すように、突出部２０ｄ，２１ｄの画面保護部２０ｂ，２１ｂの面から最も突出している部分である最高部と画面２ａとの間の距離ｄは、画面２ａを保護する性能を得るために十分な距離ｄとなる。具体的な距離ｄの寸法としては、たとえば０．５ミリメートルから１ミリメートルである。これにより、突出部２０ｄ，２１ｄの厚みの０．５ミリメートルから１ミリメートルを保護部材２０，２１の素材の厚みの０．２ミリメートルから０．５ミリメートルと合わせると、スマートフォン２の画面２ａに対し、０．７ミリメートルから１．５ミリメートル離れた距離に突出部２０ｄ，２１ｄの最高部が位置することになる。これによれば、突出部２０ｄ，２１ｄの最高部は、画面２ａを保護するために十分な距離を得ることができる。
【００２４】
すなわち、図１１に示すように、保護部材２０，２１は、スマートフォン２の画面２ａから所定の距離ｄ離れた画面２ａと平行になる面上に突出部２０ｄ，２１ｄの最高部が位置する。距離ｄは、前述したように、０．７ミリメートルから１．５ミリメートルである。これにより、図１２に示すように、使用中のスマートフォン２を誤って床Ｆに落下させても、保護部材２０，２１の突出部２０ｄ，２１ｄによって、画面２ａと床Ｆとの間が距離ｄだけ離れる。このようにして、画面２ａが直接的に床Ｆと接触することなく、画面２ａの破損を防ぐことができる。特に、スマートフォン２の画面２ａは、ケース１の把持部１０〜１３の上辺よりもさらに上に突出しているので、保護部材２０，２１による画面の保護の効果は大きいものである。なお、図１１、図１２では、ケース１に収納された状態のスマートフォン２を例示したが、ケース１に収納されていない状態のスマートフォン２においても保護部材２０，２１が画面２ａを保護する効果を有することは当然である。
【００２５】
その他に、スマートフォン２が角の部分から落下したときには、スマートフォン２の角の部分に、保護部材２０，２１の角保護部２０ｃ，２１ｃが被さっているため、スマートフォン２の角の破損を防ぐことができる。
【００２６】
上述した突出部２０ｄ，２１ｄは、保護部材２０，２１の素材がアルミニウムなどの金属製である場合には、保護部材２０，２１を成形する際のプレス加工などの工程によって形成することができる。その他にも突出部２０ｄ，２１ｄは、保護部材２０，２１の素材が合成樹脂製である場合には、保護部材２０，２を成形する際の射出成形などの工程によって形成することができる。または、突出部２０ｄ，２１ｄの部分を保護部材２０，２１とは別に製作し、保護部材２０，２１に接着または溶接してもよい。
【００２７】
（その他の実施の形態について）
本考案の実施の形態は、その要旨を逸脱しない限りにおいて、様々に変更が可能である。たとえば、図１３に示すように、突出部２０ｄ，２１ｄの最高部は、塗装可能な表面処理部３０を有するようにできる。または、図１４に示すように、画像保護部２０ｂ，２１ｂは、突出部２０ｄ，２１ｄも含めて塗装可能な表面処理部３１を有するようにできる。すなわち、保護部材２０，２１の画面保護部２０ｂ，２１ｂおよび突出部２０ｄ，２１ｄの少なくとも一部は、塗装可能な表面処理部３０，３１を有することができる。表面処理部３０，３１は、たとえば、保護部材２０，２１の素材がアルミニウムであるとすれば、アルマイト加工処理によって形成することができる。または、突出部２０ｄ，２１ｄの最高部や画面保護部２０ｂ，２１ｂの全体にバフ掛けを行うことにより、表面処理部３０，３１を形成することができる。
【００２８】
これにより、ユーザは、突出部２０ｄ，２１ｄの最高部や突出部２０ｄ，２１ｄを含む画面保護部２０ｂ，２１ｂに対し、たとえば、ネイルカラーなどを用いて色を塗ったり、絵を描くなどの塗装を施すことにより、オリジナルのデザインを楽しむことができる。
【００２９】
また、図９、図１０に示す突出部２０ｄ，２１ｄの形状は直線形状であったが、図１５、図１６に示すように、円筒形状の突出部２０ｄａ、２１ｄａとすることもできる。この場合も図１３、図１４で説明した表面処理部３０，３１を形成することができる。
【００３０】
また、図１７、図１８に示すように、ハート形などの特殊形状の突出部２０ｄｂ，２１ｄｂとすることもできる。この場合も図１３、図１４で説明した表面処理部３０，３１を形成することができる。特殊形状としては、ハート形の他に、星形や花ビラ形あるいはキャラクタの形など、様々な形状とすることができる。このような特殊形状の突出部２０ｄｂ，２１ｄｂに、ユーザがネイルカラーなどを用いて塗装を施すことにより、塗り絵を楽しむような感覚で、オリジナルのデザインを楽しむことができる。
【００３１】
また、図１９、図２０に示すように、広い面積を有する少数の突出部２０ｄｃ，２１ｄｃとすることもできる。この場合も図１３、図１４で説明した表面処理部３０，３１を形成することができる。このような広い面積を有する少数の突出部２０ｄｃ，２１ｄｃに、ユーザがネイルカラーなどを用いて塗装を施すことにより、ユーザが自由に絵や図形を描くことで、オリジナルのデザインを楽しむことができる。
【００３２】
また、ユーザが用いるネイルカラーなどの塗膜が一定の厚みや弾力性を有する場合には、ネイルカラーを突出部２０ｄ，２０ｄａ，２０ｄｂ，２０ｄｃ，２１ｄ，２１ｄａ，２１ｄｂ，２１ｄｃに塗装することによって、突出部２０ｄ，２０ｄａ，２０ｄｂ，２０ｄｃ，２１ｄ，２１ｄａ，２１ｄｂ，２１ｄｃの高さがさらに高くなると共に、突出部２０ｄ，２０ｄａ，２０ｄｂ，２０ｄｃ，２１ｄ，２１ｄａ，２１ｄｂ，２１ｄｃの最高部が弾力性を有することになる。このため、突出部２０ｄ，２０ｄａ，２０ｄｂ，２０ｄｃ，２１ｄ，２１ｄａ，２１ｄｂ，２１ｄｃを有する画面保護部２０ｂ，２１ｂによる画面２ａの保護効果をさらに向上させることができる。
【００３３】
また、図２１〜図２３に示すように、保護部材２０の長手方向の一端を閉鎖して保護部材２０ｅのような構成としてもよい。同様に、図２４〜図２６に示すように、保護部材２１の長手方向の一端を閉鎖して保護部材２１ｅのような構成としてもよい。これによれば、保護部材２０ｅ，２１ｅにより被覆されて保護されるスマートフォン２の表面積をさらに増やすことができる。なお、図２１〜図２６では、突出部２０ｄ，２０ｄａ，２０ｄｂ，２０ｄｃ，２１ｄ，２１ｄａ，２１ｄｂ，２１ｄｃの図示は省略してある。また、保護部材２１ｅでは、予め充電プラグの差し込み孔に対応する部分に孔２１ｆを設けてある。
【００３４】
また、図２７は、保護部材２０ｇを長手方向から見た図であるが、装着部２０ａと画面保護部２０ｂとの間の距離は、角保護部２０ｃから遠ざかるに連れて漸減するように形成されている。すなわち、保護部材２０ｇの角保護部２０ｃから最も遠い位置における装着部２０ａと画面保護部２０ｂとの間の距離ｄ１は、角保護部２０ｃ付近の装着部２０ａと画面保護部２０ｂとの間の距離ｄ２よりも短い。これによれば、保護部材２０ｇをスマートフォン２に装着したときに、スマートフォン２の画面２ａに向かう側の装着部２０ａがスマートフォン２の長手方向端部付近の装着部２０ａよりもより強固にスマートフォン２の側面を押圧して把持することができる。このように、装着部２０ａにおいて、他の部分よりもさらに強固にスマートフォン２の側面を押圧する部分をピンポイント的に設けることにより、保護部材２０ｇが抜け落ちることを防ぐことができる。
【００３５】
また、図２８は、保護部材２０ｈを画面保護部２０ｂの面に直交する方向から見た図であるが、対向する双方の装着部２０ａの間の距離は、角保護部材２０ｃから遠ざかるに連れて漸減するように形成されている。すなわち、保護部材２０ｈの角保護部２０ｃから最も遠い位置における対向する双方の装着部２０ａの間の距離ｄ３は、角保護部２０ｃ付近の対向する双方の装着部２０ａの間の距離ｄ４よりも短い。これによれば、保護部材２０ｈをスマートフォン２に装着したときに、スマートフォン２の画面２ａに向かう側の装着部２０ａがスマートフォン２の長手方向端部付近の装着部２０ａよりもより強固にスマートフォン２の側面を押圧して把持することができる。このように、装着部２０ａにおいて、他の部分よりもさらに強固にスマートフォン２の側面を押圧する部分をピンポイント的に設けることにより、保護部材２０ｈが抜け落ちることを防ぐことができる。
【００３６】
上述した保護部材２０ｇ，２０ｈにおける装着部２０ａと画面保護部２０ｂとの間の関係や対向する双方の装着部２０ａの間の関係は、上述した実施の形態における保護部材２０ｅ，２１ｅにおける装着部２０ａと画面保護部２０ｂとの間の関係や対向する双方の装着部２０ａの間の関係についても適用することができる。
【符号の説明】
【００３７】
１…ケース、２…スマートフォン、１０〜１３…把持部、２０，２０ｅ，２０ｆ，２０ｇ，２０ｈ，２１，２１ｅ，２１ｆ，２１ｇ，２１ｈ…保護部材、２０ａ，２１ａ…装着部、２０ｂ，２１ｂ…画面保護部、２０ｃ，２１ｃ…角保護部、２０ｄ，２１ｄ…突出部、３０，３１…表面処理部
【図１】
0003209946.tif 000003
【図２】
0003209946.tif 000004
【図３】
0003209946.tif 000005
【図４】
0003209946.tif 000006
【図５】
0003209946.tif 000007
【図６】
0003209946.tif 000008
【図７】
0003209946.tif 000009
【図８】
0003209946.tif 000010
【図９】
0003209946.tif 000011
【図１０】
0003209946.tif 000012
【図１１】
0003209946.tif 000013
【図１２】
0003209946.tif 000014
【図１３】
0003209946.tif 000015
【図１４】
0003209946.tif 000016
【図１５】
0003209946.tif 000017
【図１６】
0003209946.tif 000018
【図１７】
0003209946.tif 000019
【図１８】
0003209946.tif 000020
【図１９】
0003209946.tif 000021
【図２０】
0003209946.tif 000022
【図２１】
0003209946.tif 000023
【図２２】
0003209946.tif 000024
【図２３】
0003209946.tif 000025
【図２４】
0003209946.tif 000026
【図２５】
0003209946.tif 000027
【図２６】
0003209946.tif 000028
【図２７】
0003209946.tif 000029
【図２８】
0003209946.tif 000030